【手続補正書】
【提出日】平成22年2月22日(2010.2.22)
【手続補正１】
【補正対象書類名】特許請求の範囲
【補正対象項目名】全文
【補正方法】変更
【補正の内容】
【特許請求の範囲】
【請求項１】
電気端子受入れ領域を有する電気コネクタハウジングと、この電気コネクタハウジングに移動可能に設置された端子位置保証（ＴＰＡ）部材であって、このＴＰＡ部材は、ＴＰＡ部材の外側のサイドラッチによってプレロック位置における電気コネクタハウジングにラッチされ、かつ前記サイドラッチは、プレロック位置からのＴＰＡ部材をラッチ解除するために内方方向に撓むようにされた区域を有するものとを具備してなり、前記外側のサイドラッチは、それぞれ、前記ハウジングの支点において軸支するようにされたラッチレバーを有する電気コネクタハウジング組立体。
【請求項２】
前記各ラッチレバーは、前記ＴＰＡ部材の前端から後方に延びる２つの外部のスロットと、前記ＴＰＡ部材の後端から前方に延びる２つの外部のスロット間に配置された２つの内部のスロットとによって形成される請求項１記載の電気コネクタハウジング組立体。
【請求項３】
前記内方方向に撓むようにされた区域は、前記ラッチレバーの前端を有する請求項１記載の電気コネクタハウジング組立体。
【請求項４】
前記ハウジングは、各外側のサイドラッチで支点を有し、この各サイドラッチは、そのサイドラッチの区域が、前記プレロック位置から前記ＴＰＡ部材をラッチ解除するために、内方方向に撓むときに、その支点において軸支されるようにされ、かつ、前記ＴＰＡ部材は、そのＴＰＡ部材が前記ロック位置にあるときに、その区域が内方方向に撓むことを防止するために、前記サイドラッチの区域に配置された支点によってロック位置に移動するようにされる、請求項１記載の電気コネクタハウジング組立体。
【請求項５】
前記ＴＰＡ部材がそのロック位置からプレロック位置に移動されるときに、前記外側のサイドラッチは、内方方向における前記ＴＰＡ部材の区域を当初は撓むことなしに、撓むようにされる請求項４記載の電気コネクタハウジング組立体。
【請求項６】
前記請求項１における電気コネクタハウジング組立体と、前記電気端子受入れ領域内に設置された電気接点とを有する電気コネクタ。
【請求項７】
電気端子の受入れ領域を有する電気コネクタハウジングと、電気コネクタハウジングに移動可能に設置された端子位置保証（ＴＰＡ）部材であって、このＴＰＡ部材は、プレロック位置でＴＰＡ部材を保持するためのラッチレバーを有し、このラッチレバーは、使用者によって移動するようにされた第１の端と、前記電気コネクタハウジングの支点における中間区域と、前記電気コネクタハウジングとラッチされる第２の端であって、そのラッチレバーは、使用者によるラッチを解除した位置に前記電気コネクタハウジングの支点において回転されるまで、前記電気コネクタハウジングにおけるプレロック位置に前記ＴＰＡ部材を保持するもの、とを有する電気コネクタハウジング組立体。
【請求項８】
前記ＴＰＡ部材が、そのＴＰＡ部材の対向する外側の側部に位置されるラッチレバーのうちの２つを有する請求項７記載の電気コネクタハウジング組立体。
【請求項９】
前記ラッチレバーは、前記ＴＰＡ部材の前端から後方に延びる２つの外部のスロットと、前記ＴＰＡ部材の後端から前方に延びる２つの外部のスロット間に位置する２つの内部のスロットとによって形成される請求項７記載の電気コネクタハウジング組立体。
【請求項１０】
前記ＴＰＡ部材がロック位置に移動されるときに、前記外側のサイドラッチの第１の端は、前記電気コネクタハウジングの支点に位置して、前記ＴＰＡ部材がロック位置であるときに、第１の端が使用者によって内方に撓められるのを実質的に防止する請求項７記載の電気コネクタハウジング組立体。
【請求項１１】
前記電気コネクタハウジングは、前記支点から後方に位置する第１のラッチポケットと、この第１のラッチポケットから後方に位置する第２のラッチポケットと、前記第１と第２のラッチポケット間のランプ表面とを有する請求項７記載の電気コネクタハウジング組立体。
【請求項１２】
請求項７記載の電気コネクタハウジング組立体と、前記電気端子受入れ領域に設置された電気接点とを有する電気コネクタ。
【請求項１３】
電気コネクタハウジングの少なくとも１つの撓み可能な端子のラッチと係合して端子ラッチが撓むことを防止するようにした少なくとも１つの突出部と、電気コネクタハウジングにおけるプレロック位置でＴＰＡ部材を保持するための少なくとも１つのラッチレバーであって、このラッチレバーは、２つの後方に延びる外部のスロットおよび２つの前方に延びる内部のスロットによって形成されるもの、とを有する端子位置保証（ＴＰＡ）部材。
【請求項１４】
前記内部のスロットは、前記ＴＰＡ部材の後端から前方に延び、かつ、前記外部のスロットは、ＴＰＡ部材の前端から後方に延び、さらに、前記内部のスロットは、前記外部のスロット間に位置する請求項１３記載の端子位置保証（ＴＰＡ）部材。
【請求項１５】
前記ラッチレバーは、使用者によって内方に撓まれるようにされた第１の端と、前記電気コネクタハウジングの支点において位置されるようにされた中間区域と、前記電気コネクタハウジングとラッチするようにされた第２の端とを有し、前記ラッチレバーは、使用者によってラッチ解除された位置に対して前記電気コネクタハウジングの支点において軸支されるまで、前記電気コネクタハウジングにおけるプレロック位置に前記ＴＰＡ部材を保持するようにされる請求項１３記載の端子位置保証（ＴＰＡ）部材。
【請求項１６】
電気コネクタのハウジングにおけるプレロック位置でＴＰＡ部材をラッチすることと、前記ＴＰＡ部材の外側のサイドラッチの部分を内方に押圧することと、前記ＴＰＡ部材を前記プレロック位置からＴＰＡロック位置に移動することと、前記ＴＰＡ部材がＴＰＡロック位置にある間、前記外側のサイドラッチの部分が内方に撓むのを防止するために、前記外側のサイドラッチの部分の内側側面に前記ハウジングの部分を位置することと、を有する電気コネクタの端子位置保証（ＴＰＡ）部材を移動する方法。
【請求項１７】
前記外側のサイドラッチの部分は、前記外側のサイドラッチの前方部分を有しており、前記ＴＰＡ部材の外側のサイドラッチの部分を内方に押圧することは、前記外側のサイドラッチの前方の部分を内方に押圧することによって、前記ハウジングの支点において外側のサイドラッチを回転することを有する請求項１６記載の方法。
【請求項１８】
前記ハウジングの支点における外側のサイドラッチを回転することは、反対の外方方向に前記外側のサイドラッチの後方部分を移動することを有する請求項１７記載の方法。
【請求項１９】
前記外側のサイドラッチの前方の部分を内方に実質的に移動することなしに、前記ハウジングにおいて前記ＴＰＡ部材を前方に移動することによって、前記ＴＰＡロック位置からプレロック位置に前記ＴＰＡ部材を移動することをさらに有する請求項１７記載の方法。
【手続補正２】
【補正対象書類名】明細書
【補正対象項目名】００１７
【補正方法】変更
【補正の内容】
【００１７】
周辺区域７８は、ＴＰＡ部材５３の外側の側壁を形成する。各外側の側壁は、外側のサイドラッチ８２を有する。各ラッチ８２は、接続区域８６によって頂側および底側に接続されるラッチレバー８４を有する。ラッチレバー８４は、２つの後方に延びる外部（outer）のスロット８８と、２つの前方に延びる内部（inner）のスロット９０とによって形成される。内部のスロット９０は、ＴＰＡ部材の後端から前方に延びる。外部のスロット８８は、ＴＰＡ部材の前端から後方に延びる。内部のスロット９０は、外部のスロット８８の間に配置される。この配置によって、ラッチレバー８４は、通常のカンチレバー方式でＴＰＡ部材の前面から後方に延びるが、接続区域８６によってＴＰＡ部材の後部に接続される。代りの実施例において、外側のサイドラッチのあらゆる適切な形状または外形を提供することができる。さらに、代りの実施例において、ＴＰＡ部材は、多かれ少なかれ２つのラッチレバーを有し、さらにラッチは、ＴＰＡ部材の外側側面以外の１つまたはそれ以上の位置に配置される。